(57)【要約】【課題】簡単な構成で、特定の新生児のみの画像を確実に配信することができるようにする。【解決手段】新生児の識別ＩＤを示す識別マークが付されている複数のベッドが映像撮影装置２０Ａ〜２０Ｃにより撮影されると、画像配信サーバ１０により、その識別マークが識別されるとともに、その識別マークより判断される領域がターゲットとして切り出されて配信用の画像が作成され、ユーザ端末３０Ａ，３０ＢからのユーザＩＤに対応する識別ＩＤを示す識別マークに合った画像がユーザ端末３０Ａ，３０Ｂに配信されるようにする。【選択図】    図１
2005012367.tif 000002
【特許請求の範囲】
【請求項１】
新生児の識別ＩＤを示す識別マークが付されている複数のベッドと、
前記複数のベッドを撮影する映像撮影装置と、
前記撮影された映像から前記識別マークを識別し、さらにその識別マークより判断される領域をターゲットとして切り出し、配信用の画像を作成する機能を有する画像配信サーバと、
前記画像配信サーバへネットワークを介してユーザＩＤを送信し、前記作成された画像を受け取るユーザ端末とを備え、
前記画像配信サーバは、ユーザＩＤに対応する前記識別ＩＤを示す識別マークに合った画像を前記ユーザ端末に配信することを特徴とする新生児モニタリングシステム。
【請求項２】
前記映像撮影装置は、前記撮影した複数のベッドの映像を前記画像配信サーバへ一定間隔で送信する機能を有していることを特徴とする請求項１に記載の新生児モニタリングシステム。
【請求項３】
前記画像配信サーバは、
前記映像撮影装置によって撮影された映像データが格納される撮影映像データ格納領域と、画像処理された配信用の画像が格納される配信用画像データ格納領域と、前記ユーザＩＤ、前記新生児の識別ＩＤ、ユーザの属性情報が格納されるユーザ登録テーブルとを有する記憶装置と、
前記ユーザ端末から送信される前記ユーザＩＤを、ユーザ登録テーブルに格納されているユーザＩＤと照合して識別する機能と、その識別したユーザＩＤに対応する新生児の識別ＩＤから、その識別ＩＤを示す識別マークに合った画像を前記撮影映像データ格納領域に格納された映像データから切り出して配信用の画像を作成する機能とを有する画像処理装置とを備えることを特徴とする請求項１又は２に記載の新生児モニタリングシステム。
【請求項４】
前記画像処理装置は、前記映像データから新生児を含む部分画像のみを切り出す機能を有していることを特徴とする請求項３に記載の新生児モニタリングシステム。
【請求項５】
前記画像処理装置は、前記映像データから新生児の全体画像と顔拡大画像とを作成することを特徴とする請求項３又は４に記載の新生児モニタリングシステム。
【請求項６】
前記画像配信サーバは、前記映像データから新生児の画像が得られないとき、前記映像データから得られている以前の画像を配信することを特徴とする請求項３〜５のいずれかに記載の新生児モニタリングシステム。
【請求項７】
前記識別マークは、複数の色付きのシンボルの並びで構成されていることを特徴とする請求項１〜６のいずれかに記載の新生児モニタリングシステム。
【請求項８】
前記識別マークは、前記ベッドの上下又は左右に付されていることを特徴とする請求項１〜７のいずれかに記載の新生児モニタリングシステム。
【請求項９】
前記識別マークは、前記ベッドの上下の対角位置又は左右の対角位置に付されていることを特徴とする請求項１〜７のいずれかに記載の新生児モニタリングシステム。
【請求項１０】
前記識別マークは、前記識別ＩＤを示す識別コードを有していることを特徴とする請求項７〜９のいずれかに記載の新生児モニタリングシステム。
【請求項１１】
前記識別コードは、いずれか一方が適用されることを特徴とする請求項１０に記載の新生児モニタリングシステム。
【請求項１２】
前記識別マークは、探索された一種類のシンボルから座標位置が検索され、その座標位置を中心とする一定幅の矩形領域内で隣接するシンボルの色及び大きさから探索されることを特徴とする請求項７〜１１のいずれかに記載の新生児モニタリングシステム。
【請求項１３】
前記識別マークは、その両端のシンボルの重心座標から傾きが計算され、その計算された向きに基づき、前記ターゲットの向きが算出されることを特徴とする請求項１〜１２のいずれかに記載の新生児モニタリングシステム。
【請求項１４】
前記計算された前記識別マークの向きと位置とから前記ターゲットの存在範囲が取得されることを特徴とする請求項１３に記載の新生児モニタリングシステム。
【請求項１５】
前記ターゲットから肌色成分が抽出され、その抽出された肌色成分に基づき前記新生児の画像と、その向きとが求められることを特徴とする請求項１〜１４のいずれかに記載の新生児モニタリングシステム。
【発明の詳細な説明】
【０００１】
【発明の属する技術分野】
本発明は、インターネットを介し、撮影した新生児の画像を、ユーザ端末へ配信する新生児モニタリングシステムに関する。
【０００２】
【従来の技術】
子供が生まれると、その父親や祖父母等は、新生児が入院している病院まで様子を見に行くのは勿論であるが、それ以外の時間にも持ち歩ける写真のように、いつでも見たいと思ったときに、どこからでも新生児の現在の様子を見たいと思うものである。このような場合、現在の遠隔地の様子を監視カメラで撮影し、送信された画像を配信サーバからユーザ端末に配信する画像配信システムを利用することが考えられる。ところが、このような画像配信システムを利用すると、複数人の新生児を撮影した画像が配信されるので、特定のユーザの新生児を見るときに、他の新生児も見えてしまい、プライバシーの問題が発生する。
【０００３】
このような不具合を解消するようにしたものとして、特許文献１では、新生児の父親である利用者、又は新生児の祖父母である利用者が新生児の画像を見る場合、ユーザ端末を用いて画像処理サーバにアクセスし、新生児のＩＤを入力すると、新生児室に設けられている各カメラのうちＩＤに対応するカメラを接続し、そのカメラによって撮影された画像をユーザ端末へ配信するようにした映像配信システムを提案している。
【０００４】
【特許文献１】
特開２００２−３１４９８８号公報
【０００５】
【発明が解決しようとする課題】
ところが、上述した特許文献１では、新生児のベッド毎に一台ずつ対応するカメラを設置しなければならないため、画像配信のためのシステムのコストが嵩んでしまうという問題がある。
また、新生児のベッドが移動した場合、カメラの撮影角度によってはうまく新生児を撮影できない場合がある。
しかも、新生児のベッドを新生児室から他の診察室等に移動し、その後、新生児室に戻すとき、対応するカメラとは異なる場所に戻すと、カメラとの対応がとれなくなってしまうという問題もある。
【０００６】
本発明は、このような状況に鑑みてなされたものであり、簡単な構成で、特定の新生児のみの画像を確実に配信することができる新生児モニタリングシステムを提供することを目的とする。
【０００７】
【課題を解決するための手段】
本発明の新生児モニタリングシステムは、新生児の識別ＩＤを示す識別マークが付されている複数のベッドと、複数のベッドを撮影する映像撮影装置と、撮影された映像から識別マークを識別し、さらにその識別マークより判断される領域をターゲットとして切り出し、配信用の画像を作成する機能を有する画像配信サーバと、画像配信サーバへネットワークを介してユーザＩＤを送信し、作成された画像を受け取るユーザ端末とを備え、画像配信サーバは、ユーザＩＤに対応する識別ＩＤを示す識別マークに合った画像をユーザ端末に配信することを特徴とする。
また、映像撮影装置は、撮影した複数のベッドの映像を画像配信サーバへ一定間隔で送信する機能を有しているようにすることができる。
また、画像配信サーバは、映像撮影装置によって撮影された映像データが格納される撮影映像データ格納領域と、画像処理された配信用の画像が格納される配信用画像データ格納領域と、ユーザＩＤ、新生児の識別ＩＤ、ユーザの属性情報が格納されるユーザ登録テーブルとを有する記憶装置と、
ユーザ端末から送信されるユーザＩＤを、ユーザ登録テーブルに格納されているユーザＩＤと照合して識別する機能と、その識別したユーザＩＤに対応する新生児の識別ＩＤから、その識別ＩＤを示す識別マークに合った画像を撮影映像データ格納領域に格納された映像データから切り出して配信用の画像を作成する機能とを有する画像処理装置とを備えるようにすることができる。
また、画像処理装置は、映像データから新生児を含む部分画像のみを切り出す機能を有しているようにすることができる。
また、画像処理装置は、映像データから新生児の全体画像と顔拡大画像とを作成するようにすることができる。
また、画像配信サーバは、映像データから新生児の画像が得られないとき、映像データから得られている以前の画像を配信するようにすることができる。
また、識別マークは、複数の色付きのシンボルの並びで構成されているようにすることができる。
また、識別マークは、ベッドの上下又は左右に付されているようにすることができる。
また、識別マークは、ベッドの上下の対角位置又は左右の対角位置に付されているようにすることができる。
また、識別マークは、識別ＩＤを示す識別コードを有しているようにすることができる。
また、識別コードは、いずれか一方が適用されるようにすることができる。
また、識別マークは、探索された一種類のシンボルから座標位置が検索され、その座標位置を中心とする一定幅の矩形領域内で隣接するシンボルの色及び大きさから探索されるようにすることができる。
また、識別マークは、その両端のシンボルの重心座標から傾きが計算され、その計算された向きに基づき、ターゲットの向きが算出されるようにすることができる。
また、計算された識別マークの向きと位置とからターゲットの存在範囲が取得されるようにすることができる。
また、ターゲットから肌色成分が抽出され、その抽出された肌色成分に基づき新生児の画像と、その向きとが求められるようにすることができる。
本発明に係る新生児モニタリングシステムにおいては、新生児の識別ＩＤを示す識別マークが付されている複数のベッドが映像撮影装置により撮影されると、画像配信サーバにより、その識別マークが識別されるとともに、その識別マークより判断される領域がターゲットとして切り出されて配信用の画像が作成され、ユーザ端末からのユーザＩＤに対応する識別ＩＤを示す識別マークに合った画像がユーザ端末に配信される。
【０００８】
【発明の実施の形態】
以下、本発明の実施の形態について説明する。
図１は、本発明の新生児モニタリングシステムの一実施の形態を示す図、図２は、図１の画像配信サーバの構成を示すブロック図、図３は、図１の画像配信サーバが有するユーザ登録テーブルの一例を示す図、図４〜図１６は、図１の新生児モニタリングシステムの動作を説明するための図である。
【０００９】
図１に示すように、新生児モニタリングシステムは、画像配信サーバ１０、映像撮影装置２０Ａ〜２０Ｃ、ユーザ端末３０Ａ，３０Ｂを備え、これらはネットワークとしてのインターネット４０を介して相互に通信できるように構成されている。
画像配信サーバ１０は、ユーザ端末３０Ａ，３０Ｂからのアクセスを受け付け、所定の映像撮影装置２０Ａ〜２０Ｃによって撮影された画像に対し、所定の画像処理を施してアクセスのあったユーザ端末３０Ａ，３０Ｂに配信する機能を有している。ここで、ユーザ端末３０Ａ，３０Ｂから画像配信サーバ１０へ配信要求を行う際、予め割り当てられているユーザＩＤが送信される。また、そのユーザＩＤは、各新生児室５０Ａ〜５０Ｃで与えられるそれぞれの新生児の後述のベッド６０に付された新生児の識別ＩＤを示す識別マーク６１と対応付けされているが、その詳細は後述する。
【００１０】
映像撮影装置２０Ａ〜２０Ｃは、撮影映像を送信できる通信機能を有するネットワークカメラ等であり、各新生児室５０Ａ〜５０Ｃに対応させて配置されている。映像撮影装置２０Ａ〜２０Ｃによる撮影映像の送信は、有線又は無線のどちらであってもよい。
ユーザ端末３０Ａ，３０Ｂは、画像配信サーバ１０へアクセスし、所定の映像撮影装置２０Ａ〜２０Ｃによって撮影された画像を、画像配信サーバ１０から受け取る機能を有している。ユーザ端末３０Ａ，３０Ｂは、通信機能、表示機能、情報入力機能を有しているものであればよく、ＰＣ（パーソナルコンピュータ）、ＰＤＡ、携帯電話、固定電話のいずれであってもよい。
【００１１】
次に、画像配信サーバ１０の詳細について説明する。
図２に示すように、画像配信サーバ１０は、画像処理装置１１、記憶装置１２、通信インタフェース１６を備えている。
画像処理装置１１は、ユーザ端末３０Ａ，３０Ｂから送信されるユーザＩＤの識別機能と、所定の映像撮影装置２０Ａ〜２０Ｃによって撮影された映像に対しての画像処理を行う機能と、ユーザＩＤに対応する新生児を識別し、その新生児の画像をアクセスのあったユーザ端末３０Ａ，３０Ｂに配信する機能とを有している。
【００１２】
記憶装置１２は、撮影映像データ格納領域１３、配信用画像データ格納領域１４、ユーザ登録テーブル１５を有している。
撮影映像データ格納領域１３には、映像撮影装置２０Ａ〜２０Ｃによって撮影された映像データが格納される。配信用画像データ格納領域１４には、画像処理装置１１によって画像処理された画像が格納される。
ユーザ登録テーブル１５には、図３に示すように、ユーザＩＤ、新生児の識別ＩＤ、ユーザの氏名等のユーザの属性情報が格納されている。ここで、新生児の識別ＩＤは、後述のベッド６０に付された識別マーク６１と対応付けされている。
【００１３】
通信インタフェース１６は、映像撮影装置２０Ａ〜２０Ｃによって撮影された映像データの受信やユーザ端末３０Ａ，３０Ｂとの間でのデータのやり取りを行う。
上述した各新生児室５０Ａ〜５０Ｃには、図４に示すようなベッド６０が備えられている。このベッド６０は、キャスター等によって移動自在とされたものである。ベッド６０の上下の対角位置には、上述した新生児の識別ＩＤを示す識別マーク６１が貼り付けられている。なお、識別マーク６１は、ベッド６０の上下の対角位置に限らず、ベッド６０の左右の対角位置であってもよい。このようなベッド６０は、所定の映像撮影装置２０Ａ〜２０Ｃによって撮影された後、その画像が上述した画像処理装置１１によって画像処理される。画像処理を行う場合には、識別マーク６１により判断される領域が切り出される。以下、その切り出された領域を、ターゲットという。
【００１４】
識別マーク６１は、図５に示すように、赤（Ｒ）、緑（Ｇ）、青（Ｂ）、マゼンタ（Ｍ）、イエロー（Ｙ）等のように、複数の色付きのシンボルを並べたもので構成されている。また、複数の色付きのシンボルの並び順は、上述した新生児の識別ＩＤに対応している。よって、複数の色付きのシンボルの並び順を変えることで、複数の新生児の識別ＩＤに対応させることができる。
つまり、たとえば図６に示すように、シンボルである赤（Ｒ）→０、緑（Ｇ）→１、青（Ｂ）→２、マゼンタ（Ｍ）→３、イエロー（Ｙ）→４の数値（識別コード）に対応させることができる。
【００１５】
これにより、図７（ａ）に示すように、各シンボルがたとえば赤（Ｒ）、青（Ｂ）、緑（Ｇ）、イエロー（Ｙ）、マゼンタ（Ｍ）の順であるとき、「０２１４３」の数値（識別コード）が得られる。ただし、上述したベッド６０の向きによっては、逆並びの場合もあり得るため、図７（ｂ）に示すように、「０２１４３」と「３４１２０」との２つの数値（識別コード）が得られるが、いずれか一方の数値（識別コード）を用いることで、新生児の識別ＩＤとの対応をとることは可能である。
【００１６】
次に、画像処理装置１１による配信用の画像を作成する画像処理について、説明する。
まず、図８に示すように、記憶装置１２の撮影映像データ格納領域１３より画像を取得する（ステップＳ１）。次に、取得した画像から識別マーク６１の位置を抽出する。この場合、まず識別マーク６１を構成する任意の一種類のシンボル（ＳＭ）を、その色や大きさの特徴から探索する（ステップＳ２）。シンボルを探索した後、図９に示すように、任意のシンボル（ＳＭ）の座標位置を中心とする一定幅Ｘの矩形領域内で隣接するシンボルを、その色や大きさの特徴から探索する（ステップＳ３）。探索の結果、識別マーク６１を構成する全種類のシンボルが見つかった場合は（ステップＳ４）、そのシンボルの集合を一つの識別マーク６１として記憶装置１２に保存する（ステップＳ５）。この場合、そのシンボルの並び順と座標位置も保存する。ただし、識別マーク６１を構成する全種類のシンボルが見つからない場合は、（ステップＳ３）に戻り、再び隣接するシンボルの探索を行う。このような識別マーク６１を構成する全種類のシンボルの探索を、画像全体にわたって行う。
【００１７】
次いで、識別マーク６１を構成する全種類のシンボルの探索を終えた後、その識別マーク６１を上述した新生児の識別ＩＤに変換した後（ステップＳ６）、同じ識別ＩＤを持つ識別マーク６１を探す（ステップＳ７）。ここで、同じ識別ＩＤを持つ識別マーク６１がない場合、その識別マーク６１は削除する（ステップＳ８）。次に、識別ＩＤがユーザ登録テーブル１５に登録されているか否かを調べる（ステップＳ９）。識別ＩＤがユーザ登録テーブル１５に登録されていない場合は、その識別マーク６１を削除する（ステップＳ８）。
識別ＩＤがユーザ登録テーブル１５に登録されている場合、図１０に示すように、識別マーク６１の２端のシンボルの重心座標から傾きを計算し、識別マーク６１の向きを抽出する。また、同じ識別ＩＤを持つ識別マーク６１の向きの平均を計算して、ターゲットの向きを抽出する（ステップＳ１０）。なお、計算式は、図１０に示す通りである。
【００１８】
ここで、識別マーク６１は、図４に示したように、ベッド６０の角に貼り付けられているため、識別マーク６１の２端のうち一つがターゲット領域の角となる。ここでは、図１１に示すように、同じ識別ＩＤを持つ識別マーク６１からの距離が遠い端をターゲット領域の角とする。同様にして、もう一方の角の座標を求める。次に、図１２に示すように、一方の角の座標を通るターゲットの向きの直線に、もう一方の角の座標から下した垂線の長さＬを求める。また、図１３に示すように、ターゲットの向きに基づき、ターゲットの水平からの傾きＡを求め、ターゲット領域の座標を抽出する（ステップＳ１１）。なお、ターゲット領域の座標は、図１３に示すように、Ｐ１〜Ｐ４に対してＰａ，Ｐｂである。
【００１９】
次に、図１４に示すように、ターゲットの角座標Ｐａ，Ｐｂを基に、ターゲット領域が水平になるようにＡの大きさだけ回転し、切り出した画像６２を作成する（ステップＳ１２）。次に、新生児の顔部分を認識するために、画像６２から肌色成分を抽出する。肌色成分の画素は１、それ以外の画素は０とした２値画像を作成する。２値画像において、画素１の連結領域が閾値Ｓ以上の大きさである場合、その領域を顔領域として保存する（ステップＳ１３）。顔領域の重心座標が画像６２の下部に存在する場合、画像６２を１８０度回転させる（ステップＳ１４）。顔領域の重心座標が中央上部にくるように、画像６２を横Ｗ、縦Ｈのサイズに切り取って、全体画像６３を作成する（ステップＳ１５）。また、図１５に示すように、顔領域の重心座標が画像の中心にくるように移動して、横Ｗ、縦Ｈのサイズに収まるように拡大した画像を、顔拡大画像６４として作成する（ステップＳ１６）。全体画像６３及び顔拡大画像６４は、配信用画像データ格納領域１４に保存される。
以上のような画像処理により、ベッド６０が固定されていない移動型であっても、画像の中の識別マーク６１を認識できれば、ターゲット領域の切り出しを行い、新生児の姿勢を計算して補正した新生児の全体画像６３と顔拡大画像６４とを作成することができる。
【００２０】
次に、上述したようにして作成された全体画像６３と顔拡大画像６４とを配信する場合について説明する。
まず、図１６に示すように、ユーザは、携帯電話等のユーザ端末３０Ａ，３０Ｂのブラウザ機能を使用して、インターネットに接続し、画像配信サーバ１０にアクセスすると、画像配信サーバ１０からの応答を受け取る（ステップＳ２０〜Ｓ２２）。このとき、ユーザ端末３０Ａ，３０Ｂの画面には、ユーザ識別のためのユーザＩＤの入力画面が表示されるので、操作画面に従い、ユーザＩＤを入力して送信する（ステップＳ２３〜Ｓ２５）。
画像配信サーバ１０においては、映像撮影装置２０Ａ〜２０Ｃから一定間隔で送信される撮影映像に対し、画像処理装置１１により上述した画像処理が一定間隔で実施され、特定の新生児の全体画像６３と顔拡大画像６４の配信用画像データが作成される（ステップＳ３５〜Ｓ３７）。また、画像配信サーバ１０では、ユーザＩＤを受信すると、ユーザ登録テーブル１５に登録されているユーザＩＤとの照合により、ユーザを識別する（ステップＳ２６）。ここで、照合に失敗した場合は、エラー情報がユーザ端末３０Ａ，３０Ｂに送信され、ユーザ端末３０Ａ，３０Ｂにエラー画面が表示される。
【００２１】
照合に成功した場合は、さらにユーザ登録テーブル１５から対応する新生児の識別ＩＤが取得される。そして、上述した画像処理により、対応する識別コードを有する識別マーク６１で切り出した配信用画像データを取得し、対応する新生児の全体画像６３をユーザ端末３０Ａ，３０Ｂへ配信する（ステップＳ２７，Ｓ２８）。
このとき、ユーザ端末３０Ａ，３０Ｂの画面には、ユーザＩＤに対応する識別ＩＤを有した新生児の全体画像６３が表示される（ステップＳ２９）。ここで、ユーザ端末３０Ａ，３０Ｂにおいて、ユーザは画面のメニュー項目に従い、キー操作等の指示により、新生児の顔拡大、画像更新を選択すると、そのキー操作による要求が画像配信サーバ１０に送信される（ステップＳ３０，Ｓ３１）。画像配信サーバ１０は、その要求を受け取り、対応する新生児の顔拡大画像６４の場合はその画像を取得して配信する（ステップＳ３２，Ｓ３３）。また、画像更新の場合は、最新の画像を取得して再配信する（ステップＳ３２，Ｓ３３）。
【００２２】
このとき、ユーザ端末３０Ａ，３０Ｂには、要求した所望の画像が表示される（ステップＳ３４）。これにより、ユーザは、特定の新生児の全体画像６３、顔拡大画像６４及びこれらの最新画像を容易に切り替えて見ることができる。なお、（ステップＳ３２）において、上述した画像処理の結果、新生児がベッド６０にいないと判断された場合、あるいは夜間で撮影ができていなかった場合等は、「現在、赤ちゃんはベッドにいません。前の画像を表示します。」「夜間なので、前の画像を表示します。」といった文字情報と、新生児がベッド６０に就寝していたときに撮影できた最新時刻の画像が配信される。
【００２３】
このように、本実施の形態では、新生児の識別ＩＤを示す識別マーク６１が付されている複数のベッド６０が映像撮影装置２０Ａ〜２０Ｃにより撮影されると、画像配信サーバ１０により、その識別マーク６１が識別されるとともに、その識別マーク６１より判断される領域がターゲットとして切り出されて配信用の画像が作成され、ユーザ端末３０Ａ，３０ＢからのユーザＩＤに対応する識別ＩＤを示す識別マーク６１に合った画像がユーザ端末３０Ａ，３０Ｂに配信されるようにすることができる。
これにより、映像撮影装置２０Ａ〜２０Ｃのいずれかによる複数のベッド６０の映像から特定のターゲットを絞り込むことができるため、従来のように、新生児のベッド毎に一台ずつ対応するカメラを設置する必要がないことから、画像配信のためのシステムを低コストで構築することができる。
【００２４】
また、本実施の形態では、映像撮影装置２０Ａ〜２０Ｃのいずれかによる複数のベッド６０の映像から特定のターゲットを絞り込むことができるため、映像撮影装置２０Ａ〜２０Ｃの向きを遠隔操作する必要がないことから、遠隔操作のための機能がないカメラであっても対応可能である。
また、本実施の形態では、自動的に顔拡大画像６４を作成することができるので、顔のアップ映像に切り替えたい場合、映像撮影装置２０Ａ〜２０Ｃの遠隔制御によりズームを行う必要がない。その結果、パン（左右の首ふり）やチルト（上下の首ふり）、ズーム等の機能がないカメラを用いることができ、システム構築のコスト低減を図ることができる。また、パン（左右の首ふり）やチルト（上下の首ふり）、ズーム等の機能がないカメラを用いることができることから、複数人の同時アクセスを受け付けることができる。つまり、上述した遠隔制御を必要とすると、いずれかのユーザが遠隔操作によりズーム等を使用しているとき、他のユーザが遠隔操作を行えなくなるためである。
【００２５】
また、特定のターゲットは、新生児の識別ＩＤを示す識別マーク６１によって識別されるため、新生児のベッド６０が新生児室５０Ａ〜５０Ｃから他の診察室等に移動し、その後、新生児室５０Ａ〜５０Ｃに戻すとき、ベッド６０がどの位置にあっても、特定のターゲットを絞り込むことができるため、ユーザＩＤに対応した新生児の画像を間違いなく配信することができる。
また、画像配信サーバ１０からユーザ端末３０Ａ，３０Ｂへの画像配信は、インターネット４０を介して行われるため、毎日会社勤めで忙しい父親や遠方に住んでいる祖父母等は、見たいと思ったときにインターネット４０に接続できる環境であれば、どこからでも携帯端末等のユーザ端末３０Ａ，３０Ｂにより、簡単な操作で現在の新生児の様子を見ることができる。
【００２６】
また、本実施の形態では、ユーザ端末３０Ａ，３０Ｂに新生児の全体画像６３が表示されるとき、新生児の顔拡大、画像更新を選択することができるメニュー項目を表示させていずれかを選択させるようにしたので、簡単な操作で新生児の顔拡大画像６４又は最新の画像を見ることができる。
なお、本実施の形態では、識別マーク６１を構成するシンボルを５個とした場合について説明したが、そのシンボルは４個以下又は６個以上であってもよいことは勿論である。
【００２７】
また、本実施の形態での識別マーク６１は、色付きのシンボルの組み合わせであればよく、その形状や大きさ等は任意であってもよい。
また、本実施の形態では、静止画である新生児の全体画像６３又は顔拡大画像６４を送信する場合について説明したが、この例に限らず、アニメーションＧＩＦのように、全体画像６３又は顔拡大画像６４の最新の画像をたとえば５枚程度、時系列順に繋いだものを配信するようにしてもよい。
また、本実施の形態では、新生児をモニタリングする場合について説明したが、この例に限らず、たとえば動物病院に入院中のケージに入ったペットのモニタリング等にも応用してもよい。
【００２８】
【発明の効果】
以上の如く本発明に係る新生児モニタリングシステムによれば、新生児の識別ＩＤを示す識別マークが付されている複数のベッドが映像撮影装置により撮影されると、画像配信サーバにより、その識別マークが識別されるとともに、その識別マークより判断される領域がターゲットとして切り出されて配信用の画像が作成され、ユーザ端末からのユーザＩＤに対応する識別ＩＤを示す識別マークに合った画像がユーザ端末に配信されるようにしたので、簡単な構成で、特定の新生児のみの画像を確実に配信することができる。
【図面の簡単な説明】
【図１】本発明の新生児モニタリングシステムの一実施の形態を示す図である。
【図２】図１の画像配信サーバの構成を示すブロック図である。
【図３】図１の画像配信サーバが有するユーザ登録テーブルの一例を示す図である。
【図４】図１の新生児モニタリングシステムによる画像処理を説明するための図である。
【図５】図１の新生児モニタリングシステムによる画像処理を説明するための図である。
【図６】図１の新生児モニタリングシステムによる画像処理を説明するための図である。
【図７】図１の新生児モニタリングシステムによる画像処理を説明するための図である。
【図８】図１の新生児モニタリングシステムによる画像処理を説明するためのフローチャートである。
【図９】図１の新生児モニタリングシステムによる画像処理を説明するための図である。
【図１０】図１の新生児モニタリングシステムによる画像処理を説明するための図である。
【図１１】図１の新生児モニタリングシステムによる画像処理を説明するための図である。
【図１２】図１の新生児モニタリングシステムによる画像処理を説明するための図である。
【図１３】図１の新生児モニタリングシステムによる画像処理を説明するための図である。
【図１４】図１の新生児モニタリングシステムによる画像処理を説明するための図である。
【図１５】図１の新生児モニタリングシステムによる画像処理を説明するための図である。
【図１６】図１の新生児モニタリングシステムによる画像配信を説明するためのフローチャートである。
【符号の説明】
１０  画像配信サーバ
１１  画像処理装置
１２  記憶装置
１３  撮影映像データ格納領域
１４  配信用画像データ格納領域
１５  ユーザ登録テーブル
１６  通信インタフェース
２０Ａ〜２０Ｃ  映像撮影装置
３０Ａ，３０Ｂ  ユーザ端末
４０  インターネット
５０Ａ〜５０Ｃ  各新生児室
６０  ベッド
６１  識別マーク
６２  画像
６３  全体画像
６４  顔拡大画像
【図１】
2005012367.tif 000003
【図２】
2005012367.tif 000004
【図３】
2005012367.tif 000005
【図４】
2005012367.tif 000006
【図５】
2005012367.tif 000007
【図６】
2005012367.tif 000008
【図７】
2005012367.tif 000009
【図８】
2005012367.tif 000010
【図９】
2005012367.tif 000011
【図１０】
2005012367.tif 000012
【図１１】
2005012367.tif 000013
【図１２】
2005012367.tif 000014
【図１３】
2005012367.tif 000015
【図１４】
2005012367.tif 000016
【図１５】
2005012367.tif 000017
【図１６】
2005012367.tif 000018